(57)【特許請求の範囲】
【請求項１】
赤色のＬＥＤ光を発光する第１発光部と、
緑色のＬＥＤ光を発光する第２発光部と、
青色のＬＥＤ光を発光する第３発光部と、
前記第１発光部からの発光光を制御する第１ドライバと、
前記第２発光部からの発光光を制御する第２ドライバと、
前記第３発光部からの発光光を制御する第３ドライバと、
前記赤色光と前記緑色光が、いずれも無発光レベルの低値と、有発光レベルの高値とを有するパルス波形であり、前記青色光が、ロウ発光レベルの低値と、ハイ発光レベルの高値とを有するパルス波形であると共に、前記赤色光のパルス波形及び前記緑色光のパルス波形の低値と、前記青色光のパルス波形の高値とが同期するように、前記第１乃至第３ドライバを制御する制御部と、
を有することを特徴とする照明装置。
【請求項２】
赤色のＬＥＤ光を発光する第１発光部と、
緑色のＬＥＤ光を発光する第２発光部と、
青色のＬＥＤ光を発光する第３発光部と、
前記第１発光部からの発光光を制御する第１ドライバと、
前記第２発光部からの発光光を制御する第２ドライバと、
前記第３発光部からの発光光を制御する第３ドライバと、
活動モードにおいて、前記赤色光と前記緑色光が、いずれも無発光レベルの低値と、有発光レベルの高値とを有するパルス波形を有し、前記青色光が、ロウ発光レベルの低値と、ハイ発光レベルの高値とを有するパルス波形を有すると共に、前記赤色光のパルス波形及び前記緑色光のパルス波形の低値と、前記青色光のパルス波形の高値とが同期するように、前記第１乃至第３ドライバを制御すると共に、休息モードにおいて、前記赤色光と前記緑色光が、いずれも無発光レベルの低値と、有発光レベルの高値とを有するパルス波形を有し、前記青色光が、一定レベルの発光強度を有するように、前記第１乃至第３ドライバを制御する制御部と、
を有することを特徴とする照明装置。
【請求項３】
前記活動モードにおいて、青色パルス光の高値の期間は、１００μｓ以上であり、前記青色パルス光の高値の発光強度は、１２μＷ／ｃｍ２以上であることを特徴とする請求項２に記載の照明装置。
【請求項４】
前記第１乃至第３発光部は、ベッドが設置された部屋の照明を担うものであり、
前記制御部は、ベッド上の利用者の体動及び／又は活動量を検出するセンサの検出信号に基づいて、ベッド利用者が覚醒状態であるか、睡眠状態であるかを判定し、この判定結果に基づいて、前記活動モード又は前記休息モードを設定することを特徴とする請求項２又は３に記載の照明装置。
【請求項５】
前記制御部は、昼間時を活動モードとし、夜間時を休息モードとして、前記活動モードと、前記休息モードとを、タイマーにより切り替えることを特徴とする請求項２又は３に記載の照明装置。
【発明の詳細な説明】
【技術分野】
【０００１】
本発明は、人体に対する覚醒作用と、人体に対する睡眠作用とを効果的に得ることができる照明装置に関する。
【背景技術】
【０００２】
ＬＥＤ（発光ダイオード）は、その発光光の波長を容易に制御することができ、青色光、白色光等を任意に設定して照射することができる。また、青色光が人体に対して覚醒作用を有する等、発光光の人体に対する影響も明らかになっている。
【０００３】
特許文献１には、主光源からの白色光と、副光源からの青色光とを、相補的に（相互的に）照射し，白色光を主に照射し、青色光を間欠的に照射する照明装置が開示されている。これにより、連続光として白色光及び青色光を照射するよりも、覚醒水準を向上させることができるとしている。また、青色光の時間的な幅を短くして点灯することにより、視覚的には白い光としながらも、非視覚的作用によって生体に覚醒をもたらす効果があるとされている。
【０００４】
また、特許文献２には、夜間受光時のメラトニン分泌抑制による睡眠障害を起こさずに、視覚情報の確保を実現するために、光源からの出力に対応した分光成分のうちの少なくとも４１０ｎｍから５０５ｎｍの波長域における分光成分を減衰又はカットするフィルタを設けた屋内用照明装置が開示されている。この減衰又はカットする波長域は、青色帯域である。
【０００５】
更に、特許文献３には、夜間の睡眠を促進するメラトニンの分泌を抑制しにくい照明を得るために、環形蛍光ランプと青色ＬＥＤを光源とする照明器具が提案されている。この照明器具においては、環形蛍光ランプを点灯中に、青色ＬＥＤを環形蛍光ランプとは別に独立に点灯する。環形蛍光ランプは、ベースとしてメラトニン分泌の抑制作用を白熱電球と同程度以下に低減すると共に、朝又は昼間には、メラトニン分泌を抑制する青成分を多く含む発光を簡単に実現するとされる。
【先行技術文献】
【特許文献】
【０００６】
【特許文献１】特開２０１２−１１９２２１号公報
【特許文献２】特開２００５−２３０１７１号公報
【特許文献３】特開２００７−２９９７１４号公報
【発明の概要】
【発明が解決しようとする課題】
【０００７】
しかしながら、特許文献１の照明装置は、青色の強度が白と同じであるため、もたらされる非視覚的作用は十分ではない。また、白に青が加わるため、青白い照明になり、調光範囲が狭い。更に、夜間にこの照明を用いると、メラトニンが抑制されて睡眠を阻害するため、使用は日中に限られる。特許文献２及び特許文献３の照明装置は、青色近傍帯域を除去してしまうため、夜間において睡眠は阻害しないが、色の視認性が悪くなり、血色の判別が困難になると共に、高齢者に使うと、視認性が悪いため、床上面の状態を適切に判別できず、転倒のリスクが高まるという問題点がある。また、在宅医療では、血色を判別しにくくなり、生活上の支障が生じるという問題点がある。
【０００８】
本発明はかかる問題点に鑑みてなされたものであって、昼間のように、覚醒状態を強くしたい場合に、青白い光になることがなく、調光範囲が広い照明装置を提供することを目的とし、更に、夜間のように、休息効果を強くしたい場合には、睡眠を阻害しないと共に、色の視認性を高めることができる照明装置を提供することを目的とする。
【課題を解決するための手段】
【０００９】
本発明に係る照明装置は、
赤色のＬＥＤ光を発光する第１発光部と、
緑色のＬＥＤ光を発光する第２発光部と、
青色のＬＥＤ光を発光する第３発光部と、
前記第１発光部からの発光光を制御する第１ドライバと、
前記第２発光部からの発光光を制御する第２ドライバと、
前記第３発光部からの発光光を制御する第３ドライバと、
前記赤色光と前記緑色光が、いずれも無発光レベルの低値と、有発光レベルの高値とを有するパルス波形であり、前記青色光が、ロウ発光レベルの低値と、ハイ発光レベルの高値とを有するパルス波形であると共に、前記赤色光のパルス波形及び前記緑色光のパルス波形の低値と、前記青色光のパルス波形の高値とが同期するように、前記第１乃至第３ドライバを制御する制御部と、
を有することを特徴とする。
【００１０】
本発明に係る他の照明装置は、
赤色のＬＥＤ光を発光する第１発光部と、
緑色のＬＥＤ光を発光する第２発光部と、
青色のＬＥＤ光を発光する第３発光部と、
前記第１発光部からの発光光を制御する第１ドライバと、
前記第２発光部からの発光光を制御する第２ドライバと、
前記第３発光部からの発光光を制御する第３ドライバと、
活動モードにおいて、前記赤色光と前記緑色光が、いずれも無発光レベルの低値と、有発光レベルの高値とを有するパルス波形を有し、前記青色光が、ロウ発光レベルの低値と、ハイ発光レベルの高値とを有するパルス波形を有すると共に、前記赤色光のパルス波形及び前記緑色光のパルス波形の低値と、前記青色光のパルス波形の高値とが同期するように、前記第１乃至第３ドライバを制御すると共に、休息モードにおいて、前記赤色光と前記緑色光が、いずれも無発光レベルの低値と、有発光レベルの高値とを有するパルス波形を有し、前記青色光が、一定レベルの発光強度を有するように、前記第１乃至第３ドライバを制御する制御部と、
を有することを特徴とする。
【００１１】
この場合に、前記活動モードにおいて、青色パルス光の高値の期間は、１００μｓ以上であり、前記青色パルス光の高値の発光強度は、１２μＷ／ｃｍ２以上であることが好ましい。
【００１２】
例えば、前記第１乃至第３発光部は、ベッドが設置された部屋の照明を担うものであり、前記制御部は、ベッド上の利用者の体動及び／又は活動量を検出するセンサの検出信号に基づいて、ベッド利用者が覚醒状態であるか、睡眠状態であるかを判定し、この判定結果に基づいて、前記活動モード又は前記休息モードを設定することとすることができる。
【００１３】
又は、前記制御部は、昼間時を活動モードとし、夜間時を休息モードとして、前記活動モードと、前記休息モードとを、タイマーにより切り替えることとすることもできる。
【発明の効果】
【００１４】
本発明によれば、日中は青色の独立した高強度パルスによって非視覚的作用をより強くもたらして覚醒度を高め、夜間は青色を低レベルの定常発光として他の色と混色させ、視認性は確保したままで非視覚的な覚醒作用を減弱させる。この照明をベッドサイドやシーリングライトなどの生活照明として使うと、一日を通して視認性を損なうことなく、日中は覚醒度を高めて夜間は睡眠しやすい効果を生体に与える。
【図面の簡単な説明】
【００１５】
【図１】本発明の実施形態に係る照明装置のＬＥＤの駆動波形を示す図である。
【図２】本発明の実施形態に係る照明装置が適用されたベッドサイド照明設備を示すブロック図である。
【図３】ＬＥＤの駆動波形の変形例を示す図である。
【図４】本発明の実施形態の照明装置が設置された病室を示す模式図である。
【図５】本発明の実施形態の照明装置の具体例を示す斜視図である。
【発明を実施するための形態】
【００１６】
以下、本発明の実施形態について、添付の図面を参照して具体的に説明する。図１は、本発明の実施形態に係る照明装置のＬＥＤの駆動波形を示す図、図２は、本発明の実施形態に係る照明装置が適用されたベッドサイド照明設備を示すブロック図である。図４に示すように、病室内のベッド１上に、ベッド利用者が横たわっており、その病室内のベッドの近傍に、スタンドとしてのＬＥＤ５が設置されていて、病室内を照明している。図２に示すように、ベッド１には、ベッド使用者がベッド上に在床しているか、又は離床しているか、また、背ボトムが起き上がっているか、又は水平状態にあるかを検知するために、ベッドに印加される荷重を検出する複数個のセンサ２が設置されている。このセンサ２の検出信号は、制御部３に入力され、制御部３は、このセンサ２が検出したベッド利用者の状態に基づいて、赤色光、緑色光、青色光を発光させるために、赤色ＬＥＤ用ドライバ４ａ、緑色ＬＥＤ用ドライバ４ｂ及び青色ＬＥＤ用ドライバ４ｃを制御する。ＬＥＤ５には、赤色発光ダイオード（ＬＥＤ５ａ）、緑色発光ダイオード（ＬＥＤ５ｂ）及び青色発光ダイオード（ＬＥＤ５Ｃ）が設置されており、赤色ＬＥＤ用ドライバ４ａ、緑色ＬＥＤ用ドライバ４ｂ及び青色ＬＥＤ用ドライバ４ｃは、制御部３からの信号に基づいて、ＬＥＤ５（５ａ、５ｂ、５ｃ）の赤色光、緑色光及び青色光の各パルス光の発光を駆動する。
【００１７】
制御部３は、センサ２からの検出信号に基づき、ベッド利用者の在床又は離床を検知し、ベッド１の背ボトムの起き上がり又は下降を検知する。また、制御部３は、センサ２からの検出信号により、ベッド上のベッド利用者の体動又は活動量を検出し、ベッド利用者の体動があるか若しくは活動量が高いかによりベッド利用者が覚醒状態にあることを認識し、又はベッド利用者の体動がないか若しくは活動量が低いかによりベッド利用者が休息状態にあることを認識する。即ち、センサ２のうち、ベッドの荷重を検出する荷重センサが検出した荷重変動、又はマットレスの下に配置された空圧センサが検出した圧力変動を基に、制御部３は、ベッド利用者の体動の有無及び／又は活動状態を検出し、それを検出した場合に、ベッド利用者が覚醒状態にあると認識する。また、制御部３は、センサ２からの検出信号により、ベッド利用者が在床しているか、離床しているかを判断する。そして、制御部３は、ベッド利用者がベッド１上に在床しており、体動があるか又は活動状態が高い場合は、ベッド利用者が覚醒状態にあると検知し、ベッド利用者が在床しているが、体動がないか又は活動状態が低い場合は、制御部３は、ベッド利用者が睡眠又は休息状態にあると検知して、後述のように、ＬＥＤ５の照明を制御する。更に、ベッド利用者が長時間離床している場合は、制御部３はＬＥＤ５の発光を停止し、照明をオフにする。この長時間と判断される基準となる時間は、例えば、１〜６０分であり、この基準時間以上、離床しているときに、照明をオフにする。
【００１８】
図１（ａ）は、活動モードにおけるＬＥＤの各色光の発光パターン（パルス波形）を示し、図１（ｂ）は、休息モードにおけるＬＥＤの各色光の発光パターン（パルス波形）を示す。活動モードとは、昼間時のように、人間が活動するのに好都合なモードである。また、休息モードとは、夜間時のように、人間が睡眠又は休息をとるのに好都合なモードである。
【００１９】
図１に示すように、両モードにおける各色ＬＥＤの発光パターンは、休息モードの青色光を除いて、パルス発光である。図１（ａ）に示すように、活動モードにおいては、青色ＬＥＤの発光は、振幅（発光強度）の高値がＤ２、低値がＤ１（Ｄ２＞Ｄ１）であり、緑色ＬＥＤの発光は、振幅の高値がＤ３、低値が０であり、赤色ＬＥＤの発光は、振幅の高値がＤ４、低値が０である。そして、青色光の発光強度が高値Ｄ２である期間はｔ１、低値Ｄ１である期間はｔ２である。また、青色光のパルス光が高値Ｄ２である期間と、緑色光及び赤色光のパルス光が低値０である期間とが同期しており、青色光が高値である期間は、緑色光及び赤色光が非点灯状態にある。
【００２０】
一方、図１（ｂ）に示すように、休息モードにおいては、青色ＬＥＤの発光は低強度Ｎ１の常時発光又は定常発光である。また、緑色ＬＥＤ及び赤色ＬＥＤの発光パターンは、夫々高値がＮ２及びＮ３、いずれも低値が０のパルス発光である。
【００２１】
青色、緑色、赤色の発光は、人間に対し、視覚で青色、緑色、赤色の光を認識させ、これらの青色、緑色及び赤色の混色は、白色として認識させるというように、各色のＬＥＤ発光は、人間に対して視覚的作用を及ぼす。その一方、青色の発光は、人間に対し、覚醒作用を及ぼすというように、非視覚的作用を及ぼす。よって、青色光は、人間に対し、昼間の活動時に、好ましい作用を及ぼすが、夜間は、睡眠を傷害するというように、好ましくない作用を及ぼす。この青色光の非視覚的作用は公知であるが、本発明は、青色光のもつ非視覚的作用の持続性を有効に利用することにより、調光範囲が広く、色の視認性が高い照明を得ることに特徴がある。
【００２２】
図１（ａ）に示すように、活動モードにおいては、青色光の強いパルス的な発光の後、青色光の弱い発光が続き、緑色光及び赤色光は、青色光の強い発光がある期間ｔ１は、０レベルになり、青色光が弱い発光に移った後、この青色光が弱発光している期間ｔ２、緑色光及び赤色光が高値Ｄ３，Ｄ４にて発光する。この期間ｔ１において、緑色光及び赤色光が非発光であるのは、青色光は、劣加法性という性質を有し、他の緑色又は赤色の発光が存在すると、青色光のもつ覚醒作用（非視覚的作用）が弱まるからである。
【００２３】
ヒトの網膜にあるメラノプシン網膜神経節細胞（ｍＲＧＣ）は、青い光に特異的に反応し、ヒトの体温などの１日の変動である概日リズム（サーカディアンリズム）を地球の自転周期に合わせている。ｍＲＧＣは形及び色を認識する役目、即ち光の視覚的作用には、ほとんど役に立っておらず、もっぱら非視覚的作用を生体にもたらす。つまり、ｍＲＧＣは、特定の色の光に反応して、無自覚下で生体に影響を及ぼし、例えば日中に覚醒度を高めたり、又は夜間に睡眠をもたらしたりする役割がある。このｍＲＧＣによる非視覚的作用は比較的強めの青色の光で覚醒作用が顕著であり、また、ｍＲＧＣの活動はごく瞬間的な光に対しても、その後数十秒にわたって持続的に反応する特徴がある。よって、短期間ｔ１の青色光の強い発光で、青色光の覚醒作用というｍＲＧＣへの非視覚的作用が持続的に生じ、青色光の強度が低いｔ２の期間も、この非視覚的作用（覚醒作用）がｍＲＧＣに有効に作用する。一方、この青色光に他の色光を加えて暴露すると、照度は高くなるものの、劣加法性により非視覚作用が減弱してしまう。このため、ｔ１の期間は、緑色光及び赤色光は強度を０にする。
【００２４】
また、ｔ２の期間においても、青色光は弱強度Ｄ１（ベースレベル）で発光を継続する。仮に、このｔ２の期間において、緑色光及び赤色光のみを発光させると、照明光は黄色となり、黄色のみで照らされている状態は、視認性が極めて低下する。この視認性としては、例えば、人間の血色があり、血色の視認が困難になる。よって、視認性を確保するために、このｔ２の期間においても、基本的には、青色光を弱強度Ｄ１で発光させる。しかし、本発明においては、ｔ２の期間において、青色光を発光させず、青色光の発光強度比Ｄ１／Ｄ３及びＤ１／Ｄ４が０であっても良い。この場合、このｔ２の期間においては、赤色光と緑色光との混色の黄色光になり、黄色光がＬＥＤから発光する。一方、ｔ２の期間において、青色光が低値でも存在する場合は、白っぽい黄色光となる。このとき、人間の視覚による色温度の認識特性は、ｔ１＋ｔ２を十分に短くすることにより、ｔ１＋ｔ２の期間の全体で認識されるものとなり、赤色光が、Ｄ４×ｔ２／（ｔ１＋ｔ２）、緑色光が、Ｄ３×ｔ２／（ｔ１＋ｔ２）、青色光が、（Ｄ１×ｔ２＋Ｄ２×ｔ１）／（ｔ１＋ｔ２）の強度で連続して発光している場合と同じ色温度になる。従って、Ｄ１＝０であっても、Ｄ２のパルス高さを大きくすることにより、同じ色温度を認識することができる。このように、本発明においては、ｔ１の期間において、赤色光及び緑色光の発光を０にして、青色光のみを発光させ、ｔ２の期間において、青色光を０にするか、又は弱く発光させて、覚醒作用と、血色の視認性等を確保する。
【００２５】
この活動モード（日中モード）におけるＬＥＤの発光は、ある程度の強度の赤色光と緑色光との混色光、即ち黄色光と、それより高めの強度の青色光とが、高い周波数で交互に発光するものであり、青色光はベースレベルでも発光を続けるので、人間には、色温度が高く、照度が高い定常発光として、視覚的に作用する。そして、赤色光及び緑色光と、青色光との発光時間の比率を変えることで、色温度を調整することができる。また、各色の発光強度、即ち振幅を変えるか、発光１周期ごとにブランクの時間を入れてその時間幅を変えることにより、照度を調整することができる。
【００２６】
なお、この赤色光及び緑色光のパルス光の高値の期間ｔ２は、青色光のパルス光の高値の期間ｔ１と重なってはいけない。しかし、この赤色光及び緑色光のパルス光の高値の期間ｔ２と、青色光のパルス光の高値の期間ｔ１との間に、赤色光及び緑色光の非発光の期間が存在しても良い。また、赤色光及び緑色光のパルス光の高値の期間は、相互に時間的にずれていても良いが、大部分で重なっている方が好ましい。
【００２７】
図１（ｂ）に示すように、休息モードにおいては、青色光は、弱いレベルＮ１で定常発光とし、赤色光及び緑色光は、一般的なパルス幅変調制御とする。この休息モードは、人には、色温度が低く、照度が低い定常発光に見える。夜間等の休息モードにおいても、青色光は、弱い強度Ｎ１で定常発光させる必要がある。これは、前述の如く、赤色光及び緑色光のみの場合は、全体として黄色状態の発光となり、ベッド利用者の血色等を視認することが困難であるためである。青色光も混色させることにより、照明装置としては白色光で環境を照らすことができ、夜間の視認性を高めることができる。この場合でも、青色光に対し、他の赤色光又は緑色光を加えることにより、青色光の劣加法性により、照度が十分に得られていても、青色光の非視覚作用を減衰させることができる。よって、人間への青色光の生体影響を可及的に低減することができる。なお、この生体影響とは、生体に対する覚醒作用の影響を意味するが、これは、人間の瞳孔径の変化を調べることにより、認識することができる。なお、赤色光及び緑色光と、青色光との振幅を変えることにより、照度を調整することができる。また、赤色光及び緑色光のパルス発光時間を変えることにより、色温度を調整できる。
【００２８】
日中及び夜間ともに、発光周期は人がちらつきを感じない２０ｍｓ以下とすることが好ましい。また、日中の青色光のパルス発光時間ｔ１は、生体影響が認められている１００μｓ以上であることが望ましい。更に、日中の青色光の発光強度Ｄ２は、生体影響が認められている１２μＷ／ｃｍ２以上であることが望ましい。
【００２９】
なお、本実施形態においては、図２のセンサ２がベッド上の利用者の状態を検知し、ベッド利用者が在床して背ボトムが起き上がっているときに活動モードに設定し、ベッド利用者が在床して背ボトムが下降している（水平の）ときに休息モードに設定したが、これに限らず、例えば、日中と夜間の活動モード及び休息モードの切替を、時刻若しくは環境の照度、又はそれらの組み合わせによって、自動的に行っても良いし、また、ベッド利用者又は介護者が手入力することにより、活動モードと休息モードとを切り替えても良い。
【００３０】
本発明におけるＬＥＤの駆動波形は、活動モードにおいて、照明装置として、環境照度が１０００Ｌｘ以上（例えば、１２００Ｌｘ）、環境色温度が５０００Ｋ以上（例えば、６０００Ｋ）となるものであることが好ましい。また、青色パルス光の波長は、例えば、４５０乃至４８０ｎｍ（例えば４５２ｎｍ）である。また、この青色パルス光のパルス幅ｔ１は、１乃至１０ｍｓ（例えば、３ｍｓ）である。赤色光及び緑色光のパルス幅ｔ２は、１乃至１０ｍｓ（例えば、７ｍｓ）である。また、赤色光及び緑色光のパルス光の点灯周波数は、５０Ｈｚ以上（例えば、１００Ｈｚ）である。更に、赤色光及び緑色光のパルス光の高値Ｄ４及びＤ３に対する青色光のパルス光の高値Ｄ２の比（発光強度比Ｄ２／Ｄ３及びＤ２／Ｄ４）は、５０％乃至１５０％（例えば、１００％）であるが、覚醒効果をより大きくするためには、これを大きめにする。そして、赤色光及び緑色光のパルス光の高値Ｄ４及びＤ３に対する青色光のパルス光の低値Ｄ１の比（定常発光強度比Ｄ１／Ｄ３及びＤ１／Ｄ４）は、０％乃至５０％（例えば、５％）である。ちらつき感が大きい場合は、この定常発光強度比を大きめにする。
【００３１】
休息モードにおいては、照明装置として，環境照度が１０乃至５０Ｌｘ（例えば,２０Ｌｘ）、環境色温度が２０００乃至３０００Ｋ（例えば，２０００Ｋ）となるものであることが好ましい。また、赤色光及び緑色光のパルスの点灯周波数は、５０Ｈｚ以上（例えば，１００Ｈｚ）であることが好ましい。赤色光及び緑色光のパルス幅は、任意であるが、例えば０．１ｍｓである。この休息モードにおける赤色光及び緑色光のパルスは、図１（ｂ）に示すように、重なっていることが好ましいが、図３に示すように、時間的にずれていても良い。そして、赤色光及び緑色光の夫々パルス高（発光強度）Ｎ３及びＮ２に対する青色光の強度Ｎ１の比、即ち、定常発光強度比は、５０％未満、例えば４７％である。照明装置として、照明光の色味の視認性は、この定常発光強度比を変更することにより調整することができる。
【００３２】
なお、上記実施形態においては、制御部３が、現状が、ベッド利用者が覚醒状態であるのか、又は休息状態であるのかを、センサ２の検出信号に基づいて判断し、自動的に、ＬＥＤ５の各色光のパルス波形を制御しているが、本発明はこれに限らず、覚醒状態及び休息状態の期間を、タイマーにより、一律に定めることもできる。覚醒状態である期間を、例えば、午前６時から午後６時とし、休息状態である期間を、午後６時から午前６時までとして、タイマーにより、この覚醒状態及び休息状態を切り替えて、ＬＥＤの各色光の発光パルスを制御することとしても良い。この場合は、夜間における休息モードにおいて、暗闇で突然起床した場合に、これを覚醒状態とせずに、休息状態のままにして、ベッド利用者の負担を軽減することができる。これにより、生体リズムを適切に維持することができる。また、夜間における休息モードにおいて、自動的に点灯させることにより、暗闇での起床時に、過度の覚醒をさせずに視認性を確保することができる。よって、自動点灯により、生体リズムの向上と不意の転倒の予防を両立させることができる。また、本発明においては、ＬＥＤが装着される照明装置としては、図４に示すスタンドに限らず、天井のシーリングライトは勿論のこと、種々のものを使用することができる。例えば、図５に示す照明装置５ａは、クリップ５ｂにより、任意の場所に設置することができ、汎用性がある。
【産業上の利用可能性】
【００３３】
本発明によれば、覚醒作用と、照明装置としての視認性とを向上させることができるので、一日をとおして、視認性を損なうことなく、日中は覚醒度を高め、夜間は睡眠しやすい環境を作ることができる。このため、一般家庭における照明装置として有効であると共に、病院、在宅医療患者（ベッド利用者）の部屋、新生児治療室、ＩＣＵ（集中治療室）等における患者（ベッド利用者）の生体リズムを維持し、向上させることができる。例えば、ＩＣＵ等においては、従来、一日中、同じ照明環境下で過ごしており、照明環境が同一の中で、覚醒し、睡眠をとっている。このため、ＩＣＵ患者（ベッド利用者）は、極度の睡眠不足になりがちであり、夜間に目が覚めて、もうろうとなる等の問題がある。そこで、本発明の照明装置を使用すれば、照明の状態を、活動モードと休息モードとの間で切り替えることにより、ベッド利用者の生体リズムを明確にすることができると共に夜間の転倒等を防止でき、ベッド利用者の生活環境を著しく向上させることができる。
【符号の説明】
【００３４】
１：ベッド
２：センサ
３：制御部
４ａ：赤色ＬＥＤドライバ
４ｂ：緑色ＬＥＤドライバ
４ｃ：青色ＬＥＤドライバ
５：ＬＥＤ
【図１】
0006490556.tif 000002
【図２】
0006490556.tif 000003
【図３】
0006490556.tif 000004
【図４】
0006490556.tif 000005
【図５】
0006490556.tif 000006